(57)【要約】【課題】  植物育成容器のメリットを伸張させ、デメリットを是正できる新たな植物育成容器の提供、ビル屋上に設置しても防水層等を傷つけることなく、また安定性が高い植物育成容器を提供すること。【解決手段】  本体２と、本体２に配置される網状体３と、網状体３を本体２に固定する網固定ピン４からなる。  このような容器１は、単体で芝等の植物を育成することもできるし、ユニット単位として複数の容器１を前後左右に隣接させて庭園、花壇として芝等の植物を育成することもできる。【選択図】        図１
2005224202.tif 000002
【特許請求の範囲】
【請求項１】
本体と、本体内に配置される網状体と、網状体を本体に固定する網固定ピンからなる植物育成容器であって、
前記本体は、底部と、この底部を囲む側部を備え、
前記底部は、その表面に設けられた網固定用スタッドと、その裏面に設けられた足部と、その表裏面を貫通する水抜孔を備え、
前記網固定用スタッドの頂面に穴が形成され、この穴に前記網固定ピンが嵌入されることを特徴とする植物育成容器。
【請求項２】
前記底部の表面には、根つき用スタッドが設けられていることを特徴とする請求項１に記載の植物育成容器。
【請求項３】
前記足部には、面取りが施されていると共に、少なくとも１条の谷部が形成されており、前記足部は、前記底部の裏面の略中心と、この中心に対して所定角度の位置に配置され、且つ、各足部の谷部は、容器に所定方向の滑り外力が加えられた場合に、その外力に対抗できる方向に形成されていることを特徴とする請求項１又は２に記載の植物育成容器。
【請求項４】
前記足部の谷部に、水抜孔の中心が位置していることを特徴とする請求項３に記載の植物育成容器。
【発明の詳細な説明】
【技術分野】
【０００１】
本発明は、芝等の植物を育成する場合に使用される植物育成容器に関する。
【背景技術】
【０００２】
出願人は、従来より植物育成容器及びこれを使用した芝生マットの形成方法の研究、開発を行っており、その成果として特許も取得している(特許文献１)。
【特許文献１】特許第２５６３８７６号
【０００３】
この特許に係る植物育成容器は、水抜孔を有する底部を備えかつ上面が開放した平坦な箱体と、この箱体に充填される芝生育成用の土壌に対し、該土壌の表面を覆うような位置にて固定される網状体とを備えた植物保持容器であって、前記箱体の底部には、箱体周璧部よりも高さの低い多数のピンスタッドが上向きに形成されていることを特徴としている。
【発明の開示】
【発明が解決しようとする課題】
【０００４】
その後、都市部での樹木や草木等の緑化、ヒートアイランド現象等が問題となり、出願人はこれらの環境問題を主な解決テーマとして、上記植物育成容器の研究、開発を進めるに従い、次のような課題を見出した。
【０００５】
一つは、上記植物育成容器のメリットの伸張とデメリットの是正である。出願人の植物育成容器のメリットは、設置に特別な工事が不要であること、芝が根を張っている状態で自由に植物育成容器を移動させることができること、水捌けに優れて根腐れを防ぐことができること等である。一方、水捌けに優れている点は、水の保水性が弱いというデメリットにつながるものである。これらのメリットを伸張させ、デメリットを是正する必要がある。
【０００６】
二つは、都市部のビル屋上を緑化する場合には、上記植物育成容器を設置する屋上の防水層、防水塗料等を傷つけないような構成、人が植物育成容器により足を滑らせないような構成を提供することが課題となる。
【０００７】
そこで、本発明は上記課題を解決するためになされたものであって、そのメリットを伸張させ、デメリットを是正できる植物育成容器の提供、ビル屋上に設置しても防水層等を傷つけることなく、また安定性が高い植物育成容器を提供することを目的とする。
【課題を解決するための手段】
【０００８】
上記目的を達成するため、本発明にかかる植物育成容器は、本体と、本体内に配置される網状体と、網状体を本体に固定する網固定ピンからなり、前記本体は、底部と、この底部を囲む側部を備え、前記底部は、その表面に設けられた網固定用スタッドと、その裏面に設けられた足部と、その表裏面を貫通する水抜孔を備え、前記網固定用スタッドの頂面に穴が形成され、この穴に前記網固定ピンが嵌入されることを特徴とする植物育成容器とした(請求項１に記載の発明)。
【０００９】
上記発明において、前記底部の表面には、根つき用スタッドが設けられていることを特徴とする植物育成容器とした(請求項２に記載の発明)。
【００１０】
上記発明において、前記足部には、面取りが施されていると共に、少なくとも１条の谷部が形成されており、前記足部は、前記底部の裏面の略中心と、この中心に対して所定角度の位置に配置され、且つ、各足部の谷部は、容器に所定方向の滑り外力が加えられた場合に、その外力に対抗できる方向に形成されていることを特徴とする植物育成容器とした(請求項３に記載の発明)。
【００１１】
上記発明において、前記足部の谷部に、水抜孔の中心が位置していることを特徴とする植物育成容器とした(請求項４に記載の発明)。
【発明の効果】
【００１２】
本発明によれば、組立てが簡単で、水捌けに優れている植物育成容器となっており、植物の根腐れを防ぐことができる。また、ビル屋上に設置しても防水層等を傷つけることなく、また安定性が高い植物育成容器を提供することができる。
【発明を実施するための最良の形態】
【００１３】
［実施形態その１］
以下に、本発明の実施の形態について図面を参照しつつ詳細に説明する。図１は本発明にかかる植物育成容器の斜視図、図２は同容器の分解斜視図、図３は同容器の本体の平面図、図４は同底面図、図５は同側面図、図６は同要部断面図である。
これらの各図及び後述の各図において、同一の構成については同一の符号を用いることで重複した説明を省略する。
【００１４】
本発明にかかる植物育成容器(以下、単に容器ともいう)１は、図１及び図２に示したように、本体２と、本体２に配置される網状体３と、網状体３を本体２に固定する網固定ピン４からなる。
このような容器１は、単体で植物を育成することもできるし、ユニット単位として複数の容器１を前後左右に隣接させて庭園、花壇を形成して植物を育成することもできる。
【００１５】
前記本体２は、略四角形の底部２０とこの底部２０の各辺から起立する各側部２１Ａ〜２１Ｄを備え、かつ、上面が開放されている。
底部２０の表面２００には、後述するように複数の網固定用スタッド２２・・・、根つき用スタッド２３・・・と、複数の線状の排水溝２４・・・、リング状の排水溝２５・・・が形成されている。
一方、図４及び図５に示したように、底部２０の裏面２０１には複数の足部（大スリッド足）２６Ａ〜２６Ｅ・・・、足部（小スリッド足）２７Ａ〜２７Ｄ・・・が形成されている(図４及び図５参照)。
また図２等に示したように、底部２０にはその表裏面２００、２０１を貫通する水抜孔２８、２８・・・が形成され、各側部２１Ａ〜２１Ｄには、給水用のホースの通し孔部２９、２９・・・が穿設可能に形成されている。
【００１６】
前記網固定用スタッド２２は、前記網固定ピン４と共に、網状体３を本体２に固定し、且つ、芝等の植物の茎、根を絡み付かせるもので、略円筒状に形成されている。その高さ寸法は、底部表面２００から各側部２１Ａ〜２１Ｄの上部までの高さに対し、約５対９の割合の高さに形成されている。
図６に図示したように、網固定用スタッド２２の頂面２２０には、円筒部２２１の中心軸に沿って穴２２２が設けられ、この穴２２２に前記網固定ピン４を嵌入できるようになっている（図１５も参照）。
このように構成された網固定用スタッド２２は、各側部２１Ａ〜２１Ｄに略平行にそれぞれ２箇所と、容器２の略中心に１箇所とで、合計９箇所に設けられている。
【００１７】
前記根つき用スタッド２３は、網状体３の下面と接することで網状体３を支持し、且つ、芝等の植物の茎、根を絡み付かせるもので、前記スタッド２２の穴２２２以外の構成について、網固定用スタッド２２と略同一に形成されている。これらの根つき用スタッド２３は、前記網固定用スタッド２２から適宜距離をおいて、容器２の中心の網固定用スタッド２２Ｃと、外側の網固定用スタッド２２間に、合計４箇所に設けられている。
【００１８】
前記線状の排水溝２４は、底部２０の表面２００に井桁状に形成され、排水溝２４の各両端部は対向する各側部２１Ａ〜２１Ｄに略接するまで延びている。
各排水溝２４には、前記水抜孔２８が形成されており、これら水抜孔２８の内、前記小スリッド足２７Ａ〜２６Ｄに対応する部分に設けられたものは、前記排水溝２４より深い円形の凹部２４０に形成されている（詳細には図１２参照）。
【００１９】
前記リング状の排水溝２５は、前記大スリッド足２６Ａ〜２７Ｅに対応する位置、即ち、底部表面２００の四隅及び略中央にそれぞれ形成されており（詳細には図７及び図９参照）、それぞれの排水溝２５、２５・・・にも水抜孔２８が形成されている。
よって、容器１の水抜孔２８の多数は、給水等の液体が流れ落ち易い容器底部２０の最低部に形成されていることなり、水捌けが良好となり、植物の根腐れを有効に防ぐことができる。
【００２０】
図２に図示したように、前記底部２０と各側部２１Ａ〜２１Ｄ間には、１片又は２片の補強リブ２０２、２０３が形成されており、その２片の補強リブ２０３の近傍に、前記ホース通し孔部２９が形成されている。
【００２１】
このホース通し孔部２９は、容器１をユニット単位として、複数の容器１を隣接させて使用する場合に、育成に必要な水分を各容器１に供給するホースを通す通し孔を形成可能にするもので、周囲の壁厚に対して、薄い壁厚に形成され、各側部２１Ａ〜２１Ｄにそれぞれ対向するように一対で設けられている。
【００２２】
上記各スタッド２２、２３、各排水溝２４、２５、水抜孔２８、通し孔部２９等の設置位置、設置数、高さ寸法等は、上記構成に限定されるものではなく、前記容器１が配置される配置環境、育成する植物の種類などによって、任意に変更できるものである。
【００２３】
前記容器底部２０の裏面２０１の大スリッド足２６Ａ〜２６Ｅについて、まず各大スリッド足２６Ａ〜２６Ｅに共通する構成を、図７〜図９に図示し、大スリッド足２６Ａに代表させて説明する。
図７は大スリッド足２６Ａに対応する位置の底部２０の表面２００の平面図、図８は大スリッド足２６Ａが設けられた底部２０の裏面２０１の平面図、図９は図７及び図８のＡ−Ａ線断面図である。
【００２４】
大スリッド足２６Ａは、略円盤状に形成され、その頂面２６０には複数条の谷部２６１が形成されている。
これらの複数条の谷部２６１は、それぞれ同一方向に、略同一間隔で形成され、各谷部２６１・・・間の各山部２６２に向う稜線部は面取りされており、頂面２６０の周面２６３も同様に面取りされている。
よって、大スリッド足２６Ａ〜２６Ｅにより、容器とその設置場所との間に水捌け用の空間が形成されるのみらならず、容器１をビル等の屋上等に設置した場合に、容器１の大スリッド足２６Ａ〜２６Ｅが防水塗料や防水層を傷つける危険性を排除できる。
さらに、大スリッド足２６Ａ〜２６Ｅの各複数条の谷部２６１により、大スリッド足２６Ａ〜２６Ｅの強度を高めることができる。
【００２５】
このように構成された大スリッド足２６Ｅが、前記底部２０の裏面２０１の中心部、即ち前記スタッド２２Ｃの中心軸と共通に設けられ、この大スリッド足２６Ｅを中心にして、大スリッド足２６Ａ〜２６Ｄが所定の角度の位置、即ち、前記底部２０の裏面２０１の四隅に配置されている。
【００２６】
これら各スリッド足２６Ａ〜２６Ｅの相違は、次の点である。
図４に図示されているように、大スリッド足２６Ａと大スリッド足２６Ｃは、それらの複数の谷部２６１と山部２６２が略同一方向に形成されており、この方向に略交差するように、大スリッド足２６Ｂと大スリッド足２６Ｄの谷部２６１と山部２６２が形成されている。また、大スリッド足２６Ｅの谷部２６１と山部２６２は、前記大スリッド足２６Ａ〜２６Ｄと異なり、前記側部２１Ｂ、２１Ｄに略平行に形成されている。
よって、容器１の上に人が乗る等して、容器１を滑らせる外力(滑り外力)が作用しても、各スリッド足２６Ａ〜２６Ｅの複数の谷部２６１と山部２６２があらゆる方向の滑り外力に対応可能に抵抗することで、容器１の滑りを抑えることができる。
【００２７】
なお、図８に図示されているように、前記リング状の排水溝２５に設けられた水抜孔２８は、その中心が谷部２６１に位置し、隣接する山部２６２、２６２の稜線部にかけて形成されている。
よって、谷部２６１が設置面との間で排水流路となり、効率良く水分を切ることができ、スムースな排水性を確保できるようになっている。
【００２８】
前記小スリッド足２７Ａ〜２７Ｄは、図４及び図５に示したように、前記大スリッド足２６Ａ〜２６Ｅに比べ、それぞれ小径の略円盤状に形成され、その頂面２７０には、一条の谷部２７１が形成されている。
【００２９】
前記小スリッド足２７Ａ〜２７Ｄの詳細な構成を、小スリッド足２７Ａに代表させて図１０〜図１２に基いて説明する。
図１０は小スリッド足２７Ａに対応する位置の底部表面２００の平面図、図１１は小スリッド足２７Ａが設けられた底部裏面２０１の平面図、図１２は図１０及び図１１のＡ−Ａ線断面図である。
【００３０】
図１２に図示したように、前記頂面２７０の谷部２７１に向う稜線部２７３や周面２７２も共に面取りが施されている。
また、小スリッド足２７Ａに設けられた水抜孔２８は、図１２に示したように、谷部２７１を中心に、左右の稜線部２７３、２７３にかけて形成されている。
【００３１】
小スリッド足２７Ａ〜２７Ｄは、図４のように、大スリッド足２６Ｅを中心とした大スリッド足２６Ａ〜２６Ｄの略等角線上に位置され、小スリッド足２７Ａと小スリッド足２７Ｃの谷部２７１が略同一方向に形成されており、この方向に略直行するように、小スリッド足２７Ｂと小スリッド足２７Ｄの谷部２７１が略同一方向に形成されている。
【００３２】
よって、大スリッド足２６Ａ〜２６Ｅと同様に、小スリッド足２７Ａ〜２７Ｄにおいても、ビル等の屋上等の防水層を傷つけることもなく、谷部２７１がリブとなって強度を高めることができる。
また、大スリッド足２６Ａ〜２６Ｅと協働して、前記谷部２７１により容器１の滑りを抑えることができ、また谷部２７１が排水流路となり、スムースな排水性を確保できる。
【００３３】
以上のように構成された容器１は、軽量化等のため、ポリプロピレン等の合成樹脂により一体成形することが望ましい。
また、本体２とその足部（大スリッド足２６Ａ〜２６Ｅ等）を別体として、その足部を本位に接着するようにしてもよい。
なお、大小スリッド足２６Ａ〜２６Ｅ、２７Ａ〜２７Ｄの設置位置、設置数、高さ寸法等は任意であって上記構成に限定されるものではなく、前記容器１が配置される配置環境、育成する植物の種類などによって、任意に変更できるものである。
【００３４】
前記網状体３は、柔軟な金属材料あるいは合成樹脂により多数の網目が形成されているものを用い、各網目の大きさは、その外周の全部或いは一部を前記スタッド２２の頂面２２０に載せることができる程度であればよい。
また、網状体３として、薄板に多数の小孔を形成したシート状のものでもよい。
【００３５】
前記網固定ピン４は、図１３〜図１５に示したように、前記網固定用スタッド２２の頂面２２０に形成された穴２２２に挿入される足４０と前記網状体３の網目が位置する縊部４１と、前記網状体３を前記スタッド２２との間で圧着する頭部４２からなる。
【００３６】
前記足４０はエンタシス状に形成され、またその軸線に沿って、スリット４００が形成されている。
よって、前記網固定用スタッド２２の頂面２２０に前記網状体３を載せて、前記網固定ピン４を穴２２２に押し込めるだけで前記網状体３を固定することができ、簡単な組み立て方法となっている。
【００３７】
次に、以上のように構成された容器１の使用方法として、芝を育成する場合について例示する。
まず、本体２の前記スタッド２２の高さまで芝生育成用の土壌を充填する。次に前記スタッド２２、２３及び補強リブ２０２、２０３の上に前記網状体３を置き、前記網固定ピン４を前記スタッド２２の穴２２２に差込んで網状体３を取り付ける。さらに、その網状体３の上から土壌を被せて、芝の種を蒔いて芝を生育させる。
網状体３の上から土壌を被せて、その上から張り芝を植えつけて芝を育成さてもよい。
【００３８】
このような容器１では、芝の根が網状体３の網目部分を通って下層の土壌内に延びてゆく（図１６参照）。
その際に、網状体３に対する芝の根の防御作用が、根の成長作用になり、芝の成長が早めることから、網状体３に芝の育成作用があることが判明している。
成長する芝の根は、水分を求めて延びて網状体３の網目部分に絡んだり、前記スタッド２２、２３に絡み、芝の成育後には芝生全体が容器１に固定される。
【００３９】
以上のように構成された容器１の作用効果を纏めると、次の通りである。
第１に、本体２のスタッド２２、２３の高さまで植物育成用の土壌を充填し、スタッド２２、２３の上に網状体３を置いて、固定ピン４をスタッド２２の穴２２２に差込んで網状体３を取り付けるだけで、植物育成用の容器が完成するので、組立てが簡単である。
第２に、植木鉢のように、容器１を自由に移動させることができ、設置の工事も必要がない。
第３に、複数の容器１を任意に組み合わせて、自由なレイアウトを楽しむことができる。
第４に、水抜孔２８により容器１の内部から外部への水捌けが優れており、特に、外部に排水される際には、水抜孔２８から流下する水分は、大小スリッド足２６Ａ〜２６Ｅ、２７Ａ〜２７Ｄが作る排水空間や排水流路により、速やかに排水される。
第５に、大小スリッド足２６Ａ〜２６Ｅ、２７Ａ〜２７Ｄの谷部２６１、２７１により作られるリブ状の刻みの位置を工夫することにより、容器１自体が滑り難く、また外力に対する強度を増すことができる。
第６に、大小スリッド足２６Ａ〜２６Ｅ、２７Ａ〜２７Ｄに形成された面取りにより、建物の防水層等を傷つけることがないようにしている。
第７に、容器１を逆さにしても土壌等が落下することがなく、耐久性に優れた芝生マットが得られ、芝を植えたままでの持ち運びや、長距離の移動も可能になる。
【００４０】
［実施形態その２］
上記実施形態では、本体２の裏面２０１に取付けた大小スリッド足２６Ａ〜２６Ｅ、２７Ａ〜２７Ｄは、それぞれ円盤状の頂面２６０、２７０に山谷部２６１、２７１を設けたものであったが、図１７及び図１８のように、本体２の裏面２０１に複数のブラシ状の足５・・・を形成してもよい。
ブラシ状の足５として、図１９（Ａ）（Ｂ）のように大小ブラシ足５０、５１の複数種類のものとし、図２０のように同心円状に配置する。
容器１の上に人が乗るなどでこれら大小ブラシ足５０、５１に外力が加えられた場合、それらの先端が折れ曲がることで、その外力を吸収する。よって、容器１自体が滑り難く、建物の防水層等を傷つけることがないようになっている。
その他の構成は、上記実施形態と同一であるので、同一の作用効果を奏する。
【００４１】
［実施形態その３］
芝を植えた容器１を組み合わせてビルの屋上等に配置することで庭園として、ビルの緑化を図ることができる。即ち、容器１を左右縦横に任意に組み合わせることで、各容器１の隣接する芝が拡がり、あたかも一面の芝生を育成することができる。
このような庭園に対する自動給水装置の構成例を図２１に示す。
庭園の近くに温度計６０、湿度計６１、風力計６２を配置し、また前記容器１の土壌中に温度計６３と水分計６４を配置する。
これらの温度情報、湿度情報、水分情報、風力情報は、それぞれ電気信号に変換されて、庭園近くに配置された監視装置７に常時入力されるように構成する。
監視装置７は、得られた水分情報により、その値と乾燥を許容する限界値とを比較し、散水用の電磁弁８のオン、オフを制御する。
また、タイマ９を用いて季節毎に散水の設定時間を設定し、その時点で降雨がない場合に散水するように、散水用の電磁弁８のオン、オフを制御してもよい。なお、風力情報に基き強風時には散水を停止するように制御する。
【００４２】
また図２１に示したように庭園に監視カメラＫを設置して、無線ＬＡＮ、ビル内の構内ＬＡＮ、インターネットを介して、管理会社の管理用ＰＣに接続して、常時庭園の様子を監視できるようにしてもよい。
また、前記監視装置７からの水分情報等の各種情報を処理用ＰＣ、インターネットを介して、管理会社の管理用ＰＣに接続して出力できるようにしてもよい。
散水装置としては、通常のスプリンクラーを用いるが、前記容器１のホースの通し孔部２９に通したホースを用いてよい。また散水用に雨水を利用してもよく、また雨水等の散水を循環させてもよい。
このような装置によれば、容器１内の保水性を常に一定に保つことができる。
【００４３】
その他、容器１の本体２等の材質として、自然分解プラスチックや、天然有機廃材、竹に、バインダーとしてポリオレフィン系プラスチック樹脂を使用して成形し、低燃焼性の低公害性樹脂を用いてもよい。
植物として芝の育成につき、説明したが、芝に限定されるものでない。
【図面の簡単な説明】
【００４４】
【図１】本発明にかかる植物育成容器の斜視図、
【図２】同容器の分解斜視図、
【図３】同容器の本体の平面図、
【図４】同底面図、
【図５】同側面図、
【図６】同要部断面図、
【図７】大スリッド足に対応する位置の底部表面の平面図、
【図８】大スリッド足が設けられた底部裏面の平面図、
【図９】図７及び図８のＡ−Ａ線断面図、
【図１０】小大スリッド足に対応する位置の底部表面の平面図、
【図１１】小スリッド足が設けられた底部裏面の平面図、
【図１２】図１０及び図１１のＡ−Ａ線断面図、
【図１３】固定ピンの平面図、
【図１４】同側面図、
【図１５】同取付説明図、
【図１６】本発明にかかる植物育成容器の使用説明図、
【図１７】別の実施形態の容器本体の平面図、
【図１８】同側面図、
【図１９】(Ａ)(Ｂ)  別種のブラシ状の足の側面図、
【図２０】ブラシ状の足の配置図、
【図２１】自動給水装置の構成例図。
【符号の説明】
【００４５】
１  植物育成容器                        ２  本体
３  網状体                              ４  網固定ピン
５  ブラシ状の足
７  監視装置
８  散水用の電磁弁
２０  底部                              ２１Ａ〜２１Ｄ  側部
２２  網固定用スタッド
２３  根つき用スタッド                  ２４  線状の排水溝
２５  リング状の排水溝
２６Ａ〜２６Ｅ  足部（大スリッド足）
２７Ａ〜２７Ｄ  足部（小スリッド足）
２８  水抜孔                            ２９  ホースの通し孔部
２００  表面                            ２０１  裏面
２０２、２０３  補強リブ
２２０  頂面                            ２２１  円筒部
２２２  穴                              ２４０  凹部
２６０  頂面
２６１  谷部                            ２６３  周面
２６２  山部                            ２７０  頂面
２７１  谷部                            ２７３  稜線部
４０  足                                ４１  縊部
４２  頭部
４００  スリット
５０、５１  大小ブラシ足
６０  温度計                            ６１  湿度計
６２  風力計                            ６３  温度計
６４  水分計
【図１】
2005224202.tif 000003
【図２】
2005224202.tif 000004
【図３】
2005224202.tif 000005
【図４】
2005224202.tif 000006
【図５】
2005224202.tif 000007
【図６】
2005224202.tif 000008
【図７】
2005224202.tif 000009
【図８】
2005224202.tif 000010
【図９】
2005224202.tif 000011
【図１０】
2005224202.tif 000012
【図１１】
2005224202.tif 000013
【図１２】
2005224202.tif 000014
【図１３】
2005224202.tif 000015
【図１４】
2005224202.tif 000016
【図１５】
2005224202.tif 000017
【図１６】
2005224202.tif 000018
【図１７】
2005224202.tif 000019
【図１８】
2005224202.tif 000020
【図１９】
2005224202.tif 000021
【図２０】
2005224202.tif 000022
【図２１】
2005224202.tif 000023